(57)【要約】【課題】所定間隔を置いて並設させた２つの板状のセンサの構造から生じるストロークフォントの欠損部分を補完することが可能なストローク情報管理装置、ストローク情報管理システム、およびストローク情報管理プログラムを提供すること。【解決手段】読取装置のセンサ基板等を介して検出された電子ペンの検出座標Ｐｎが検出順に読取装置のフラッシュＲＯＭに対して保存される（Ｓ１２、Ｓ１６、Ｓ２１、Ｓ２６、Ｓ２７）。特に、読取装置のセンサ基板等を介して検出された電子ペンの検出座標Ｐｎについて、２つのセンサ基板のセンサ縁辺部内にないと判断されたときは（Ｓ２４：ＮＯ）、読取装置のセンサ基板等を介して検出された電子ペンの検出座標Ｐｎが、ストロークフォントの終端点として読取装置のフラッシュＲＯＭに対して保存される。【選択図】図３
2014241063.tif 000002
【特許請求の範囲】
【請求項１】
ペン型の入力装置と、
前記入力装置の位置データを取得する板状の第１センサと、
前記第１センサに対して所定間隔を置いて並設されると共に前記入力装置の位置データを取得する板状の第２センサと、
前記第１センサと前記第２センサとを介して前記入力装置の位置データを所定時間毎に検出する検出手段と、
前記検出手段で検出された前記入力装置の位置データが保存される記憶装置と、
前記記憶装置に対して前記検出手段で検出された前記入力装置の位置データを検出順に保存する第１保存手段と、
前記検出手段が前記入力装置の位置データを検出できなかった場合に前記記憶装置に保存された前記入力装置の位置データのうち最新の位置データをストロークフォントの終端点として前記記憶装置に対して再保存する第２保存手段と、
前記第１センサの縁辺部分である第１センサ縁辺部と、
前記第２センサの縁辺部分である第２センサ縁辺部と、
前記記憶装置に保存された前記入力装置の位置データのうち最新の位置データが前記第１センサ縁辺部内又は前記第２センサ縁辺部内にあるか否かを判断する第１判断手段と、
前記記憶装置に保存された前記入力装置の位置データのうち最新の位置データが前記第１センサ縁辺部内又は前記第２センサ縁辺部内にあると前記第１判断手段で判断された後に、前記検出手段で検出された前記入力装置の位置データが前記第１センサ縁辺部内又は前記第２センサ縁辺部内にあるか否かを判断する第２判断手段と、
前記検出手段で検出された前記入力装置の位置データが前記第１センサ縁辺部内又は前記第２センサ縁辺部内にあると前記第２判断手段で判断されたときに、前記検出手段で検出された前記入力装置の位置データを前記記憶装置に対して検出順に保存する第３保存手段と、
前記検出手段で検出された前記入力装置の位置データが前記第１センサ縁辺部内又は前記第２センサ縁辺部内にないと前記第２判断手段で判断されたときに、前記検出手段で検出された前記入力装置の位置データをストロークフォントの終端点として前記記憶装置に対して検出順に保存する第４保存手段と、
前記記憶装置に保存された前記入力装置の位置データをストロークフォントの終端点毎に区切りながら直線補間するストロークフォント作出手段と、を備えること、を特徴とするストローク情報管理装置。
【請求項２】
請求項１に記載するストローク情報管理装置であって、
前記第１センサと前記第２センサとに紙媒体が載置されること、を特徴とするストローク情報管理装置。
【請求項３】
請求項１又は請求項２に記載するストローク情報管理装置であって、
前記第１センサ縁辺部を抜けて前記第２センサ縁辺部に前記ペン型の入力装置が移動した領域、又は、前記第２センサ縁辺部を抜けて前記第１センサ縁辺部に前記ペン型の入力装置が移動した領域では、前記ストロークフォント作出手段による直線補間が行われること、を特徴とするストローク情報管理装置。
【請求項４】
請求項１又は請求項２に記載するストローク情報管理装置であって、
前記第１センサ縁辺部を抜けて前記第１センサ縁辺部に前記ペン型の入力装置が移動した領域、又は、前記第２センサ縁辺部を抜けて前記第２センサ縁辺部に前記ペン型の入力装置が移動した領域では、前記ストロークフォント作出手段による直線補間が行われること、を特徴とするストローク情報管理装置。
【請求項５】
請求項１又は請求項２に記載するストローク情報管理装置であって、
前記第１センサ縁辺部から前記第２センサ縁辺部を超えて前記第２センサ縁辺部以外の前記第２センサに前記ペン型の入力装置が移動した領域で、又は、前記第２センサ縁辺部から前記第１センサ縁辺部を超えて前記第１センサ縁辺部以外の前記第１センサに前記ペン型の入力装置が移動した領域では、前記ストロークフォント作出手段による直線補間が行われないこと、を特徴とするストローク情報管理装置。
【請求項６】
読取装置とホストとがデータ通信可能に接続されたストローク情報管理システムであって、
前記読取装置は、
ペン型の入力装置と、
前記入力装置の位置データを取得する板状の第１センサと、
前記第１センサに対して所定間隔を置いて並設されると共に前記入力装置の位置データを取得する板状の第２センサと、
前記第１センサと前記第２センサとを介して前記入力装置の位置データを所定時間毎に検出する検出手段と、
前記検出手段で検出された前記入力装置の位置データが保存される記憶装置と、
前記記憶装置に対して前記検出手段で検出された前記入力装置の位置データを検出順に保存する第１保存手段と、
前記検出手段が前記入力装置の位置データを検出できなかった場合に前記記憶装置に保存された前記入力装置の位置データのうち最新の位置データをストロークフォントの終端点として前記記憶装置に対して再保存する第２保存手段と、
前記第１センサの縁辺部分である第１センサ縁辺部と、
前記第２センサの縁辺部分である第２センサ縁辺部と、
前記記憶装置に保存された前記入力装置の位置データのうち最新の位置データが前記第１センサ縁辺部内又は前記第２センサ縁辺部内にあるか否かを判断する第１判断手段と、
前記記憶装置に保存された前記入力装置の位置データのうち最新の位置データが前記第１センサ縁辺部内又は前記第２センサ縁辺部内にあると前記第１判断手段で判断された後に、前記検出手段で検出された前記入力装置の位置データが前記第１センサ縁辺部内又は前記第２センサ縁辺部内にあるか否かを判断する第２判断手段と、
前記検出手段で検出された前記入力装置の位置データが前記第１センサ縁辺部内又は前記第２センサ縁辺部内にあると前記第２判断手段で判断されたときに、前記検出手段で検出された前記入力装置の位置データを前記記憶装置に対して検出順に保存する第３保存手段と、
前記検出手段で検出された前記入力装置の位置データが前記第１センサ縁辺部内又は前記第２センサ縁辺部内にないと前記第２判断手段で判断されたときに、前記検出手段で検出された前記入力装置の位置データをストロークフォントの終端点として前記記憶装置に対して検出順に保存する第４保存手段と、を備える一方、
前記ホストは、
前記読取装置の前記記憶装置に保存された前記読取装置の前記入力装置の位置データをストロークフォントの終端点毎に区切りながら直線補間するストロークフォント作出手段と、を備えること、を特徴とするストローク情報管理システム。
【請求項７】
請求項６に記載するストローク情報管理システムであって、
前記第１センサと前記第２センサとに紙媒体が載置されること、を特徴とするストローク情報管理システム。
【請求項８】
請求項６又は請求項７に記載するストローク情報管理システムであって、
前記第１センサ縁辺部を抜けて前記第２センサ縁辺部に前記ペン型の入力装置が移動した領域、又は、前記第２センサ縁辺部を抜けて前記第１センサ縁辺部に前記ペン型の入力装置が移動した領域では、前記ストロークフォント作出手段による直線補間が行われること、を特徴とするストローク情報管理システム。
【請求項９】
請求項６又は請求項７に記載するストローク情報管理システムであって、
前記第１センサ縁辺部を抜けて前記第１センサ縁辺部に前記ペン型の入力装置が移動した領域、又は、前記第２センサ縁辺部を抜けて前記第２センサ縁辺部に前記ペン型の入力装置が移動した領域では、前記ストロークフォント作出手段による直線補間が行われること、を特徴とするストローク情報管理システム。
【請求項１０】
請求項６又は請求項７に記載するストローク情報管理システムであって、
前記第１センサ縁辺部から前記第２センサ縁辺部を超えて前記第２センサ縁辺部以外の前記第２センサに前記ペン型の入力装置が移動した領域で、又は、前記第２センサ縁辺部から前記第１センサ縁辺部を超えて前記第１センサ縁辺部以外の前記第１センサに前記ペン型の入力装置が移動した領域では、前記ストロークフォント作出手段による直線補間が行われないこと、を特徴とするストローク情報管理システム。
【請求項１１】
ペン型の入力装置と、前記入力装置の位置データを取得する板状の第１センサと、前記第１センサに対して所定間隔を置いて並設されると共に前記入力装置の位置データを取得する板状の第２センサと、前記第１センサと前記第２センサとを介して前記入力装置の位置データを所定時間毎に検出する検出手段と、前記検出手段で検出された前記入力装置の位置データが保存される記憶装置と、前記第１センサの縁辺部分である第１センサ縁辺部と、前記第２センサの縁辺部分である第２センサ縁辺部と、を備えるストローク情報管理装置で実行されるストローク情報管理プログラムであって、
前記記憶装置に対して前記検出手段で検出された前記入力装置の位置データを検出順に保存する第１保存ステップと、
前記検出手段が前記入力装置の位置データを検出できなかった場合に前記記憶装置に保存された前記入力装置の位置データのうち最新の位置データをストロークフォントの終端点として前記記憶装置に対して再保存する第２保存ステップと、
前記記憶装置に保存された前記入力装置の位置データのうち最新の位置データが前記第１センサ縁辺部内又は前記第２センサ縁辺部内にあるか否かを判断する第１判断ステップと、
前記記憶装置に保存された前記入力装置の位置データのうち最新の位置データが前記第１センサ縁辺部内又は前記第２センサ縁辺部内にあると前記第１判断手段で判断された後に、前記検出手段で検出された前記入力装置の位置データが前記第１センサ縁辺部内又は前記第２センサ縁辺部内にあるか否かを判断する第２判断ステップと、
前記検出手段で検出された前記入力装置の位置データが前記第１センサ縁辺部内又は前記第２センサ縁辺部内にあると前記第２判断手段で判断されたときに、前記検出手段で検出された前記入力装置の位置データを前記記憶装置に対して検出順に保存する第３保存ステップと、
前記検出手段で検出された前記入力装置の位置データが前記第１センサ縁辺部内又は前記第２センサ縁辺部内にないと前記第２判断手段で判断されたときに、前記検出手段で検出された前記入力装置の位置データをストロークフォントの終端点として前記記憶装置に対して検出順に保存する第４保存ステップと、
前記記憶装置に保存された前記入力装置の位置データをストロークフォントの終端点毎に区切りながら直線補間するストロークフォント作出ステップと、を備えること、を特徴とするストローク情報管理プログラム。
【発明の詳細な説明】
【技術分野】
【０００１】
本発明は、ストロークフォントを取り扱うストローク情報管理装置、ストローク情報管理システム、およびストローク情報管理プログラムに関するものである。
【背景技術】
【０００２】
従来より、ストロークフォントを取り扱う技術として、ペンタブレットなどの入力装置が使用されている（例えば、特許文献１参照）。
【０００３】
このような入力装置は、位置を指示するためのペン型の装置と、その指示された位置を検出するための板状のセンサと、を組み合わせた構造になっている。
【先行技術文献】
【特許文献】
【０００４】
【特許文献１】特開２００３−２７１５７７号公報
【発明の概要】
【発明が解決しようとする課題】
【０００５】
しかしながら、例えば、折り畳み可能とするために所定間隔を置いて２つの板状のセンサを並設させた場合には、２つの板状のセンサの間では位置を検出することができない。そのため、ペン型の装置が２つの板状のセンサの間を移動する場合には、ペン型の装置の軌跡によって得られるストロークフォントに欠損部分が生じることになる。
【０００６】
そこで、本発明は、上述した点を鑑みてなされたものであり、所定間隔を置いて並設させた２つの板状のセンサの構造から生じるストロークフォントの欠損部分を補完することが可能なストローク情報管理装置、ストローク情報管理システム、およびストローク情報管理プログラムを提供することを課題とする。
【課題を解決するための手段】
【０００７】
この課題を解決するためになされた請求項１に係る発明は、ストローク情報管理装置であって、ペン型の入力装置と、前記入力装置の位置データを取得する板状の第１センサと、前記第１センサに対して所定間隔を置いて並設されると共に前記入力装置の位置データを取得する板状の第２センサと、前記第１センサと前記第２センサとを介して前記入力装置の位置データを所定時間毎に検出する検出手段と、前記検出手段で検出された前記入力装置の位置データが保存される記憶装置と、前記記憶装置に対して前記検出手段で検出された前記入力装置の位置データを検出順に保存する第１保存手段と、前記検出手段が前記入力装置の位置データを検出できなかった場合に前記記憶装置に保存された前記入力装置の位置データのうち最新の位置データをストロークフォントの終端点として前記記憶装置に対して再保存する第２保存手段と、前記第１センサの縁辺部分である第１センサ縁辺部と、前記第２センサの縁辺部分である第２センサ縁辺部と、前記記憶装置に保存された前記入力装置の位置データのうち最新の位置データが前記第１センサ縁辺部内又は前記第２センサ縁辺部内にあるか否かを判断する第１判断手段と、前記記憶装置に保存された前記入力装置の位置データのうち最新の位置データが前記第１センサ縁辺部内又は前記第２センサ縁辺部内にあると前記第１判断手段で判断された後に、前記検出手段で検出された前記入力装置の位置データが前記第１センサ縁辺部内又は前記第２センサ縁辺部内にあるか否かを判断する第２判断手段と、前記検出手段で検出された前記入力装置の位置データが前記第１センサ縁辺部内又は前記第２センサ縁辺部内にあると前記第２判断手段で判断されたときに、前記検出手段で検出された前記入力装置の位置データを前記記憶装置に対して検出順に保存する第３保存手段と、前記検出手段で検出された前記入力装置の位置データが前記第１センサ縁辺部内又は前記第２センサ縁辺部内にないと前記第２判断手段で判断されたときに、前記検出手段で検出された前記入力装置の位置データをストロークフォントの終端点として前記記憶装置に対して検出順に保存する第４保存手段と、前記記憶装置に保存された前記入力装置の位置データをストロークフォントの終端点毎に区切りながら直線補間するストロークフォント作出手段と、を備えること、を特徴とする。
【０００８】
また、請求項６に係る発明は、読取装置とホストとがデータ通信可能に接続されたストローク情報管理システムであって、前記読取装置は、ペン型の入力装置と、前記入力装置の位置データを取得する板状の第１センサと、前記第１センサに対して所定間隔を置いて並設されると共に前記入力装置の位置データを取得する板状の第２センサと、前記第１センサと前記第２センサとを介して前記入力装置の位置データを所定時間毎に検出する検出手段と、前記検出手段で検出された前記入力装置の位置データが保存される記憶装置と、前記記憶装置に対して前記検出手段で検出された前記入力装置の位置データを検出順に保存する第１保存手段と、前記検出手段が前記入力装置の位置データを検出できなかった場合に前記記憶装置に保存された前記入力装置の位置データのうち最新の位置データをストロークフォントの終端点として前記記憶装置に対して再保存する第２保存手段と、前記第１センサの縁辺部分である第１センサ縁辺部と、前記第２センサの縁辺部分である第２センサ縁辺部と、前記記憶装置に保存された前記入力装置の位置データのうち最新の位置データが前記第１センサ縁辺部内又は前記第２センサ縁辺部内にあるか否かを判断する第１判断手段と、前記記憶装置に保存された前記入力装置の位置データのうち最新の位置データが前記第１センサ縁辺部内又は前記第２センサ縁辺部内にあると前記第１判断手段で判断された後に、前記検出手段で検出された前記入力装置の位置データが前記第１センサ縁辺部内又は前記第２センサ縁辺部内にあるか否かを判断する第２判断手段と、前記検出手段で検出された前記入力装置の位置データが前記第１センサ縁辺部内又は前記第２センサ縁辺部内にあると前記第２判断手段で判断されたときに、前記検出手段で検出された前記入力装置の位置データを前記記憶装置に対して検出順に保存する第３保存手段と、前記検出手段で検出された前記入力装置の位置データが前記第１センサ縁辺部内又は前記第２センサ縁辺部内にないと前記第２判断手段で判断されたときに、前記検出手段で検出された前記入力装置の位置データをストロークフォントの終端点として前記記憶装置に対して検出順に保存する第４保存手段と、を備える一方、前記ホストは、前記読取装置の前記記憶装置に保存された前記読取装置の前記入力装置の位置データをストロークフォントの終端点毎に区切りながら直線補間するストロークフォント作出手段と、を備えること、を特徴とする。
【０００９】
また、請求項１１に係る発明は、ペン型の入力装置と、前記入力装置の位置データを取得する板状の第１センサと、前記第１センサに対して所定間隔を置いて並設されると共に前記入力装置の位置データを取得する板状の第２センサと、前記第１センサと前記第２センサとを介して前記入力装置の位置データを所定時間毎に検出する検出手段と、前記検出手段で検出された前記入力装置の位置データが保存される記憶装置と、前記第１センサの縁辺部分である第１センサ縁辺部と、前記第２センサの縁辺部分である第２センサ縁辺部と、を備えるストローク情報管理装置で実行されるストローク情報管理プログラムであって、前記記憶装置に対して前記検出手段で検出された前記入力装置の位置データを検出順に保存する第１保存ステップと、前記検出手段が前記入力装置の位置データを検出できなかった場合に前記記憶装置に保存された前記入力装置の位置データのうち最新の位置データをストロークフォントの終端点として前記記憶装置に対して再保存する第２保存ステップと、前記記憶装置に保存された前記入力装置の位置データのうち最新の位置データが前記第１センサ縁辺部内又は前記第２センサ縁辺部内にあるか否かを判断する第１判断ステップと、前記記憶装置に保存された前記入力装置の位置データのうち最新の位置データが前記第１センサ縁辺部内又は前記第２センサ縁辺部内にあると前記第１判断手段で判断された後に、前記検出手段で検出された前記入力装置の位置データが前記第１センサ縁辺部内又は前記第２センサ縁辺部内にあるか否かを判断する第２判断ステップと、前記検出手段で検出された前記入力装置の位置データが前記第１センサ縁辺部内又は前記第２センサ縁辺部内にあると前記第２判断手段で判断されたときに、前記検出手段で検出された前記入力装置の位置データを前記記憶装置に対して検出順に保存する第３保存ステップと、前記検出手段で検出された前記入力装置の位置データが前記第１センサ縁辺部内又は前記第２センサ縁辺部内にないと前記第２判断手段で判断されたときに、前記検出手段で検出された前記入力装置の位置データをストロークフォントの終端点として前記記憶装置に対して検出順に保存する第４保存ステップと、前記記憶装置に保存された前記入力装置の位置データをストロークフォントの終端点毎に区切りながら直線補間するストロークフォント作出ステップと、を備えること、を特徴とする。
【発明の効果】
【００１０】
すなわち、本発明のストローク情報管理装置、ストローク情報管理システム、およびストローク情報管理プログラムでは、検出手段で検出された入力装置の位置データと記憶装置に保存された入力装置の位置データとに関して、下記の（１）乃至（６）の情報管理が行われる。
【００１１】
（１）検出手段で検出された入力装置の位置データが検出順に記憶装置に対して保存される。
（２）検出手段が入力装置の位置データを検出できなかった場合には、記憶装置に保存された入力装置の位置データのうち最新の位置データが、ストロークフォントの終端点として記憶装置に対して再保存される。
（３）記憶装置に保存された入力装置の位置データのうち最新の位置データが第１センサ縁辺部内又は第２センサ縁辺部内にあるか否かが判断される。
（４）記憶装置に保存された入力装置の位置データのうち最新の位置データが第１センサ縁辺部内又は第２センサ縁辺部内にあると上記（３）で判断された後には、検出手段で検出された入力装置の位置データが第１センサ縁辺部内又は第２センサ縁辺部内にあるか否かが判断される。
（５）検出手段で検出された入力装置の位置データが第１センサ縁辺部内又は第２センサ縁辺部内にあると上記（４）で判断されたときは、検出手段で検出された入力装置の位置データが記憶装置に対して検出順に保存される。
（６）検出手段で検出された入力装置の位置データが第１センサ縁辺部内又は第２センサ縁辺部内にないと上記（４）で判断されたときは、検出手段で検出された入力装置の位置データがストロークフォントの終端点として記憶装置に対して検出順に保存される。
【００１２】
さらに、記憶装置に保存された入力装置の位置データに関して、下記の（７）の情報管理が行われる。
（７）記憶装置に保存された入力装置の位置データがストロークフォントの終端点毎に区切りながら直線補間される。
【００１３】
以上より、本発明のストローク情報管理装置、ストローク情報管理システム、およびストローク情報管理プログラムでは、上記の（１）乃至（７）の情報管理が行われることにより、所定間隔を置いて並設させた２つの板状のセンサの構造から生じるストロークフォントの欠損部分を補完することが可能となる。
【図面の簡単な説明】
【００１４】
【図１】本発明の一実施形態に係るストローク情報管理システムの全体構成図である。
【図２】同実施形態に係るストローク情報管理システムの電気的構成を示すブロック図である。
【図３】同実施形態に係るストローク情報管理システムの読取装置で実行される情報管理処理を表したフローチャート図である。
【図４】同実施形態に係るストローク情報管理システムにおけるストロークフォントの作成例を表した図である。
【図５】同実施形態に係るストローク情報管理システムにおいて直線補間が行われない例を表した図である。
【図６】同実施形態に係るストローク情報管理システムにおけるストロークフォントの欠損部分の補完例を表した図である。
【図７】同実施形態に係るストローク情報管理システムにおけるストロークフォントの欠損部分の補完例を表した図である。
【図８】同実施形態に係るストローク情報管理システムにおけるストロークフォントの欠損部分の補完例を表した図である。
【図９】同実施形態に係るストローク情報管理システムにおけるストロークフォントの欠損部分の補完例を表した図である。
【発明を実施するための形態】
【００１５】
［１．ストローク情報管理システムの概要］
以下、本発明の実施形態について、図面を参照して説明する。参照する図面は、本発明が採用し得る技術的特徴を説明するために用いられるものである。図面に記載されている装置の構成、各種処理のフローチャート等は、それのみに限定する趣旨でなく、単なる説明例である。
【００１６】
図１を参照して、本実施形態に係るストローク情報管理システム１の概要を説明する。
【００１７】
ストローク情報管理システム１は、読取装置２、電子ペン３、ＰＣ４などを含む。ストローク情報管理システム１では、ユーザが電子ペン３を用いて、読取装置２に固定された紙媒体１００の用紙１２０に情報を記入する。読取装置２は、用紙１２０に情報を記入する電子ペン３の軌跡を検出して、後述のストロークデータを取得する。ＰＣ４では、読取装置２で取得されたストロークデータに基づいて、紙媒体１００に記入された情報（文字、記号、図形、数字等）を電子化した画像ファイルが生成される。ＰＣ４は、生成された画像ファイルを保存および表示可能である。
【００１８】
読取装置２は、左右一対のセンサ基板７Ｌ，７Ｒを主体とする。センサ基板７Ｌ，７Ｒは、同一の矩形薄板状であり、左右方向に見開き可能に所定間隔Ｓ（図４参照）を置いて並設されている。各センサ基板７Ｌ，７Ｒには、Ｘ軸方向およびＹ軸方向の各々に、細長いループコイルが多数配列されていている。読取装置２は、センサ基板７Ｌ，７Ｒを折り畳んで携帯可能な、薄型軽量の装置である。さらに、各センサ基板７Ｌ，７Ｒの周辺には、センサ縁辺部７ＬＬ，７ＲＲ（図４参照）が設けられている。
【００１９】
電子ペン３は、公知の電磁誘導式の電子ペンであり、芯体３１、コイル３２、可変容量コンデンサ３３、基板３４、コンデンサ３５、およびインク収納部３６を備える。芯体３１は、電子ペン３の先端部に設けられている。芯体３１は図示外の弾性部材によって、電子ペン３の先端側に付勢されている。芯体３１の先端部は、電子ペン３の外部に突出している。芯体３１の後端側は、インクが収納されているインク収納部３６に接続されている。インク収納部３６は、芯体３１にインクを供給する。ユーザが電子ペン３を用いて用紙１２０に記入すると、インクによって用紙１２０に情報が形成される。
【００２０】
コイル３２は、インク収納部３６の周囲に巻回された状態で、芯体３１と可変容量コンデンサ３３との間に保持されている。可変容量コンデンサ３３は、基板３４によって電子ペン３の内部に固定されている。基板３４には、コンデンサ３５が搭載されている。コンデンサ３５および可変容量コンデンサ３３はコイル３２に並列に接続され、周知の共振（同調）回路を構成する。
【００２１】
紙媒体１００は、表表紙１１０Ｌと裏表紙１１０Ｒとの間に複数の用紙１２０が綴じられた、左右方向に見開き可能な冊子状である。つまり、紙媒体１００では、一対の表紙（表表紙１１０Ｌおよび裏表紙１１０Ｒ）と複数の用紙１２０とが、各々の縁部の一部で綴られている。紙媒体１００は、表表紙１１０Ｌがセンサ基板７Ｌの上面に載置され、且つ、裏表紙１１０Ｒがセンサ基板７Ｒの上面に載置されるように、読取装置２上に装着される。紙媒体１００が読取装置２に装着された状態で、ユーザは電子ペン３を用いて用紙１２０に情報を記入できる。用紙１２０に対向するセンサ基板７Ｌ，７Ｒのいずれかによって、用紙１２０に情報を記入できる電子ペン３の位置情報が検出される。
【００２２】
［２．ストローク情報管理システムの電気的構成］
図２を参照して、ストローク情報管理システム１の電気的構成を説明する。まず、読取装置２の電気的構成を説明する。読取装置２は、センサ基板７Ｌ，７Ｒ、メイン基板２０、およびセンサ制御基板２８，２９を備える。
【００２３】
メイン基板２０は、ＣＰＵ２１、フラッシュＲＯＭ２２、および無線通信部２３を備えている。フラッシュＲＯＭ２２および無線通信部２３は、ＣＰＵ２１に電気的に接続されている。ＣＰＵ２１は、読取装置２の制御を行う。フラッシュＲＯＭ２２には、ＣＰＵ２１が読取装置２を制御するために実行する各種プログラムが記憶されている。さらに、フラッシュＲＯＭ２２には、用紙１２０に情報を記入する電子ペン３の軌跡を示すストロークデータが記憶される。ストロークデータは、センサ基板７Ｌ，７Ｒによって経時的に検出された電子ペン３の複数の位置情報（例えば、検出座標）によって、用紙１２０に情報を記入する電子ペン３の軌跡を特定する。本実施形態では、数ｍｓｅｃのサンプリング時間毎に、電子ペン３の位置情報（検出座標）の検出が繰り返される。無線通信部２３は、外部の電子機器と近距離無線通信を実行するためのコントローラである。
【００２４】
センサ基板７Ｌは、センサ制御基板２８のＡＳＩＣ２８Ａに電気的に接続されている。ＡＳＩＣ２８Ａは、電子ペン３による記入動作がセンサ基板７Ｌ上に行われた場合に、記入動作に基づいてストロークデータを取得するが、詳細は後述する。センサ基板７Ｒは、センサ制御基板２９のＡＳＩＣ２９Ａに電気的に接続されている。ＡＳＩＣ２９Ａは、電子ペン３による記入動作がセンサ基板７Ｒ上で行われた場合に、記入動作に基づいてストロークデータを取得するが、詳細は後述する。ＡＳＩＣ２８Ａ，２９Ａのうち、マスター側のＡＳＩＣ２８ＡはＣＰＵ２１に直接接続され、スレーブ側のＡＳＩＣ２９ＡはＡＳＩＣ２８Ａを介してＣＰＵ２１に接続されている。
【００２５】
センサ基板７Ｌ，７Ｒによってストロークデータが取得される原理を、概略的に説明する。ＣＰＵ２１はＡＳＩＣ２８Ａ，２９Ａを制御して、センサ基板７Ｌ，７Ｒの各々のループコイルに、一本ずつ特定の周波数の電流（励磁用送信電流）を流す。これにより、センサ基板７Ｌ，７Ｒの各々のループコイルから磁界が発生する。この状態で、例えばユーザが電子ペン３を用いて読取装置２に固定された紙媒体１００の用紙１２０に情報を記入すると、電子ペン３がセンサ基板７Ｌ，７Ｒに近接する。そのため、電子ペン３の共振回路は電磁誘導によって共振し、誘導磁界を生じる。
【００２６】
次に、ＣＰＵ２１はＡＳＩＣ２８Ａ，２９Ａを制御して、センサ基板７Ｌ，７Ｒの各々のループコイルからの磁界の発生を停止させる。さらに、電子ペン３の共振回路から発せられる誘導磁界を、センサ基板７Ｌ，７Ｒの各々のループコイルで受信する。ＣＰＵ２１はＡＳＩＣ２８Ａ，２９Ａを制御して、センサ基板７Ｌ，７Ｒの各々のループコイルに流れる信号電流（受信電流）を検出させる。ＡＳＩＣ２８Ａ，２９Ａがこの動作を全てのループコイルについて一本ずつに実行することで、受信電流に基づいて電子ペン３の位置が検出される。
【００２７】
さらに、電子ペン３を用いて用紙１２０に情報が記入されている状態では、芯体３１に筆圧が付与される。芯体３１に付与される筆圧に応じて、コイル３２のインダクタンスが変化する。これにより、電子ペン３の共振回路の共振周波数が変化する。ＣＰＵ２１はこの共振周波数の変化（位相変化）を検出して、電子ペン３に付与された筆圧を特定する。つまりＣＰＵ２１は、電子ペン３から特定した筆圧によって、用紙１２０に情報が記入されているか否かを判断できる。ＣＰＵ２１は、用紙１２０に情報が記入されていると判断した場合、電子ペン３の軌跡を示すストロークデータを取得し、フラッシュＲＯＭ２２に保存する。
【００２８】
次に、ＰＣ４の電気的構成を説明する。ＰＣ４は、ＰＣ４の制御を行うＣＰＵ４１を備えている。ＣＰＵ４１は、ハードディスクドライブ（ＨＤＤ）４２、ＲＡＭ４３、無線通信部４４、入力回路４５、および出力回路４６と電気的に接続している。ＨＤＤ４２には、ＣＰＵ４１が実行する各種プログラムが記憶される。
【００２９】
ＰＣ４は、図示外の媒体読取装置（例えば、ＣＤ−ＲＯＭドライブ）を備える。ＰＣ４は、記憶媒体（例えば、ＣＤ−ＲＯＭ）に記憶されているプログラムを、媒体読取装置で読み取ってＨＤＤ４２にインストールできる。また、ＰＣ４に接続されている外部機器（図示外）またはネットワークからプログラムを受信して、ＨＤＤ４２にインストールしてもよい。
【００３０】
ＲＡＭ４３は、種々の一時データを記憶する。無線通信部４４は、外部の電子機器と近距離無線通信を実行するためのコントローラである。入力回路４５は、ＣＰＵ４１へ入力部４７（例えば、マウス、キーボード、タッチパネルなど）からの指示を送る制御を行う。出力回路４６は、ＣＰＵ４１からの指示に応じてディスプレイ４８に画像を表示する制御を行う。
【００３１】
本実施形態では、読取装置２の無線通信部２３とＰＣ４の無線通信部４４との間で、近距離無線通信を実行可能である。ユーザが読取装置２にデータ転送指示を入力すると、フラッシュＲＯＭ２２の保存されているストロークデータが、読取装置２からＰＣ４に近距離無線通信によって転送される。さらにＰＣ４でプログラムが起動されると、ＣＰＵ４１は読取装置２から転送されたストロークデータに基づいて、紙媒体１００の用紙１２０に記入された情報を電子化した画像ファイルを生成する。画像ファイルは、情報の軌跡をデジタル画像によって示すデータファイルである。デジタル画像の例として、ベクター画像やラスター画像が挙げられる。画像ファイルとしてＪＰＥＧファイル、ＧＩＦファイル、ＰＮＧファイル、ＢＭＰファイルが挙げられる。生成された画像ファイルは、ＨＤＤ４２に保存される。ＨＤＤ４２に保存された画像ファイルは、ディスプレイ４８に表示可能である。
【００３２】
［３．ストローク情報管理システムの情報管理処理］
次に、ストローク情報管理システム１で実行される情報管理処理について説明する。
［３．−１  読取装置の情報管理処理］
まず、読取装置２で実行される情報管理処理について説明する。読取装置２で実行される情報管理処理のプログラムは、フラッシュＲＯＭ２２に記憶されており、ＣＰＵ２１により実行される。
【００３３】
図３に表したように、読取装置２で実行される情報管理処理では、まず、Ｓ１１において、ＣＰＵ２１は、変数ｎに「０」を代入する。変数ｎは、フラッシュＲＯＭ２２に確保される。その後は、Ｓ１２に進む。
【００３４】
Ｓ１２では、ＣＰＵ２１は、電子ペン３が検出されると、電子ペン３の検出座標Ｐｎを始端点としてフラッシュＲＯＭ２２に記憶する。その後は、Ｓ１３に進む。
【００３５】
Ｓ１３では、ＣＰＵ２１は、変数ｎを「１」だけ増加させる。その後は、Ｓ１４に進む。
【００３６】
Ｓ１４では、ＣＰＵ２１は、数ｍｓｅｃのサンプリング時間を過ごす。その後は、Ｓ１５に進む。
【００３７】
Ｓ１５では、ＣＰＵ２１は、電子ペン３が検出されたか否かを判定する。この判定は、センサ基板７Ｌ，７Ｒ等を介した入力信号に基づいて行われる。ここで、電子ペン３が検出された場合（Ｓ１５：ＹＥＳ）には、Ｓ１６に進む。
【００３８】
Ｓ１６では、ＣＰＵ２１は、電子ペン３の検出座標ＰｎをフラッシュＲＯＭ２２に記憶する。その後は、Ｓ１７に進む。
【００３９】
Ｓ１７では、ＣＰＵ２１は、上記Ｓ１７で保存された検出座標Ｐｎがセンサ基板７Ｌ，７Ｒのセンサ縁辺部７ＬＬ，７ＲＲ内にあるか否かを判定する。ここで、上記Ｓ１７で保存された検出座標Ｐｎがセンサ基板７Ｌ，７Ｒのセンサ縁辺部７ＬＬ，７ＲＲ内にない場合（Ｓ１７：ＮＯ）には、上記Ｓ１３に戻って、上記Ｓ１３以降の処理を繰り返す。これに対して、上記Ｓ１７で保存された検出座標Ｐｎがセンサ基板７Ｌ，７Ｒのセンサ縁辺部７ＬＬ，７ＲＲ内にある場合（Ｓ１７：ＹＥＳ）には、Ｓ１８に進む。
【００４０】
Ｓ１８では、ＣＰＵ２１は、変数ｎを「１」だけ増加させる。その後は、Ｓ１９に進む。
【００４１】
Ｓ１９では、ＣＰＵ２１は、数ｍｓｅｃのサンプリング時間を過ごす。その後は、Ｓ２０に進む。
【００４２】
Ｓ２０では、ＣＰＵ２１は、電子ペン３が検出されたか否かを判定する。この判定は、センサ基板７Ｌ，７Ｒ等を介した入力信号に基づいて行われる。ここで、電子ペン３が検出された場合（Ｓ２０：ＹＥＳ）には、Ｓ２１に進む。
【００４３】
Ｓ２１では、ＣＰＵ２１は、電子ペン３の検出座標ＰｎをフラッシュＲＯＭ２２に記憶する。その後は、上記Ｓ１８に戻って、上記Ｓ１８以降の処理を繰り返す。
【００４４】
一方、上記Ｓ２０において、電子ペン３が検出されていない場合（Ｓ２０：ＮＯ）には、Ｓ２２に進む。
【００４５】
Ｓ２２では、ＣＰＵ２１は、数ｍｓｅｃのサンプリング時間を過ごす。その後は、Ｓ２３に進む。
【００４６】
Ｓ２３では、ＣＰＵ２１は、電子ペン３が検出されたか否かを判定する。この判定は、センサ基板７Ｌ，７Ｒ等を介した入力信号に基づいて行われる。ここで、電子ペン３が検出されていない場合（Ｓ２３：ＮＯ）には、上記Ｓ２２に戻って、上記Ｓ２２以降の処理を繰り返す。これに対して、電子ペン３が検出された場合（Ｓ２３：ＹＥＳ）には、Ｓ２４に進む。
【００４７】
Ｓ２４では、ＣＰＵ２１は、上記Ｓ２３で保存された検出座標Ｐｎがセンサ基板７Ｌ，７Ｒのセンサ縁辺部７ＬＬ，７ＲＲ内にあるか否かを判定する。ここで、上記Ｓ２３で保存された検出座標Ｐｎがセンサ基板７Ｌ，７Ｒのセンサ縁辺部７ＬＬ，７ＲＲ内にない場合（Ｓ２４：ＮＯ）には、ＣＰＵ２１は、フラッシュＲＯＭ２２に記憶された電子ペン３の検出座標Ｐｎのうち最新の検出座標を終端点としてフラッシュＲＯＭ２２に記憶し直す。その後は、上記Ｓ１１に戻って、上記Ｓ１１以降の処理を繰り返す。これに対して、上記Ｓ２３で保存された検出座標Ｐｎがセンサ基板７Ｌ，７Ｒのセンサ縁辺部７ＬＬ，７ＲＲ内にある場合（Ｓ２４：ＹＥＳ）には、Ｓ２５に進む。
【００４８】
Ｓ２５では、ＣＰＵ２１は、変数ｎを「１」だけ増加させる。その後は、Ｓ２６に進む。
【００４９】
Ｓ２６では、ＣＰＵ２１は、電子ペン３の検出座標ＰｎをフラッシュＲＯＭ２２に記憶する。その後は、上記Ｓ１３に戻って、上記Ｓ１３以降の処理を繰り返す。
【００５０】
一方、上記Ｓ１５において、電子ペン３が検出されていない場合（Ｓ１５：ＮＯ）には、Ｓ２７に進む。
【００５１】
Ｓ２７では、ＣＰＵ２１は、フラッシュＲＯＭ２２に記憶された電子ペン３の検出座標Ｐｎを終端点としてフラッシュＲＯＭ２２に記憶し直す。その後は、上記Ｓ１１に戻って、上記Ｓ１１以降の処理を繰り返す。
【００５２】
［３．−２  ＰＣの情報管理処理］
次に、ＰＣ４で実行される情報管理処理について説明する。ＰＣ４で実行される情報管理処理のプログラムは、ＨＤＤ４２に記憶されており、ＣＰＵ４１により実行される。
【００５３】
ＰＣ４で実行される情報管理処理では、まず、ＣＰＵ４１は、読取装置２のフラッシュＲＯＭ２２に記憶されている複数の検出座標ＰｎをＲＡＭ４３に書き込む。その後、ＣＰＵ４１は、始端点としてＲＡＭ４３に書き込まれた検出座標Ｐｎから終端点としてＲＡＭ４３に書き込まれた検出座標Ｐｎまでの各検出座標Ｐｎについて順次に直線補間する。これにより、ストロークフォントが作成される。
【００５４】
ここで、ストロークフォントの作成例を図４を用いて具体的に説明する。図４では、センサ基板７Ｌ、所定間隔Ｓ、およびセンサ基板７Ｒの順でユーザが電子ペン３で軌跡を描いたケースを想定している。
【００５５】
このようなケースでは、まず、検出座標Ｐ０が始端点として読取装置２のフラッシュＲＯＭ２２に記憶される（Ｓ１２）。続いて、Ｓ１４のサンプリング時間待ちを経て、検出座標Ｐ１が読取装置２のフラッシュＲＯＭ２２に記憶される（Ｓ１５：ＹＥＳ、Ｓ１６）。再び、Ｓ１４のサンプリング時間待ちを経て、検出座標Ｐ２が読取装置２のフラッシュＲＯＭ２２に記憶される（Ｓ１５：ＹＥＳ、Ｓ１６）。このとき、検出座標Ｐ２は、センサ基板７Ｌのセンサ縁辺部７ＬＬ内にあるので、Ｓ１９のサンプリング時間待ちが行われる。Ｓ１９のサンプリング時間待ちを経た直後は、電子ペン３の位置座標ＰＳが所定間隔Ｓ内に位置することから、位置座標ＰＳは読取装置２のフラッシュＲＯＭ２２に記憶されることはない（Ｓ２０：ＮＯ）。その後は、Ｓ２２のサンプリング時間待ちを経て、センサ基板７Ｒのセンサ縁辺部７ＲＲ内にある検出座標Ｐ３が読取装置２のフラッシュＲＯＭ２２に記憶される（Ｓ２３：ＹＥＳ、Ｓ２４：ＹＥＳ、Ｓ２６）。続いて、Ｓ１４のサンプリング時間待ちを経て、検出座標Ｐ４が読取装置２のフラッシュＲＯＭ２２に記憶される（Ｓ１５：ＹＥＳ、Ｓ１６）。再び、Ｓ１４のサンプリング時間待ちを経て、検出座標Ｐ５が読取装置２のフラッシュＲＯＭ２２に記憶される（Ｓ１５：ＹＥＳ、Ｓ１６）。その後は、電子ペン３が検出されないことから（Ｓ１５：ＮＯ）、上記の検出座標Ｐ５が終端点として読取装置２のフラッシュＲＯＭ２２に記憶し直される（Ｓ２７）。
【００５６】
従って、ＰＣ４においては、ＣＰＵ４１は、まず、読取装置２のフラッシュＲＯＭ２２に記憶されている各検出座標Ｐ０，Ｐ１，Ｐ２，Ｐ３，Ｐ４，Ｐ５をＲＡＭ４３に書き込む。その後、ＣＰＵ４１は、始端点としてＲＡＭ４３に書き込まれた検出座標Ｐ０から終端点としてＲＡＭ４３に書き込まれた検出座標Ｐ５までの各検出座標Ｐ０，Ｐ１，Ｐ２，Ｐ３，Ｐ４，Ｐ５について順次に直線補間する。この点、２つの検出座標Ｐ２，Ｐ３の間は、所定間隔Ｓに位置する欠損部分であるけれども（図４参照）、直線補間される。その結果、各検出座標Ｐ０，Ｐ１，Ｐ２，Ｐ３，Ｐ４，Ｐ５で構成されるストロークフォントの欠損部分が補完されることになる。
【００５７】
［４．ストロークフォントの欠損部分の補完例］
図６に表したように、センサ基板７Ｌ、所定間隔Ｓ、およびセンサ基板７Ｒに渡って、ユーザが電子ペン３で「つた」の文字を書いたとする。この点、図６に表された「つた」の文字の白抜き部分は、所定間隔Ｓに位置する欠損部分である。しかしながら、本実施形態に係るストローク情報管理システム１では、ＰＣ４による直線補間によって、図７に表したように、「つた」の文字の欠損部分は補完される。
【００５８】
つまり、本実施形態に係るストローク情報管理システム１においては、センサ基板７Ｌのセンサ縁辺部７ＬＬを抜けてセンサ基板７Ｒのセンサ縁辺部７ＲＲに電子ペン３が移動した領域である所定間隔Ｓについて、又は、センサ基板７Ｒのセンサ縁辺部７ＲＲを抜けてセンサ基板７Ｌのセンサ縁辺部７ＬＬに電子ペン３が移動した領域である所定間隔Ｓについて、ＰＣ４による直線補間が行われる。
【００５９】
また、図８に表したように、「つ」の文字の一部分がセンサ基板７Ｒからはみ出るようにして、ユーザが電子ペン３で「つ」の文字を書いたとする。この点、図８に表された「つ」の文字の白抜き部分は、センサ基板７Ｒからはみ出た欠損部分である。しかしながら、本実施形態に係るストローク情報管理システム１では、ＰＣ４による直線補間によって、図９に表したように、「つ」の文字の欠損部分が補完される。
【００６０】
つまり、本実施形態に係るストローク情報管理システム１においては、センサ基板７Ｒのセンサ縁辺部７ＲＲを抜けてセンサ基板７Ｒのセンサ縁辺部７ＲＲに電子ペン３が移動した領域について、電子ペン３が抜けて移動した領域が所定間隔Ｓであるか否かに関係なく、ＰＣ４による直線補間が行われる。
【００６１】
同様にして、本実施形態に係るストローク情報管理システム１においては、センサ基板７Ｌのセンサ縁辺部７ＬＬを抜けてセンサ基板７Ｌのセンサ縁辺部７ＬＬに電子ペン３が移動した領域についても、電子ペン３が抜けて移動した領域が所定間隔Ｓであるか否かに関係なく、ＰＣ４による直線補間が行われる。
【００６２】
［５．直線補間が行われない例］
一方、図５に表したように、センサ基板７Ｒからセンサ基板７Ｌにかけて、２つの線２０１，２０２をユーザが電子ペン３で書いたとする。このとき、センサ基板７Ｒのセンサ縁辺部７ＲＲ、所定間隔Ｓ、およびセンサ基板７Ｌのセンサ縁辺部７ＬＬについては、電子ペン３は飛び越したとする。このような場合では、電子ペン３がセンサ基板７Ｒから離れた直前の検出座標Ｐｎや電子ペン３がセンサ基板７Ｌから離れた直前の検出座標Ｐｎが、終端点として読取装置２のフラッシュＲＯＭ２２に記憶し直される（Ｓ２７）。そのため、本実施形態に係るストローク情報管理システム１においては、２つの線２０１，２０２について、ＰＣ４による直線補間は行われない。
【００６３】
この点は、線２０１の終端点がセンサ基板７Ｒのセンサ縁辺部７ＲＲ内にある場合でも同様である。
【００６４】
つまり、本実施形態に係るストローク情報管理システム１においては、センサ基板７Ｒのセンサ縁辺部７ＲＲからセンサ基板７Ｌのセンサ縁辺部７ＬＬを超えてセンサ基板７Ｌのセンサ縁辺部７ＬＬ以外のセンサ基板７Ｌに電子ペン３が移動した領域について、ＰＣ４による直線補間は行われない。
【００６５】
同様にして、本実施形態に係るストローク情報管理システム１においては、センサ基板７Ｌのセンサ縁辺部７ＬＬからセンサ基板７Ｒのセンサ縁辺部７ＲＲを超えてセンサ基板７Ｒのセンサ縁辺部７ＲＲ以外のセンサ基板７Ｒに電子ペン３が移動した領域についても、ＰＣ４による直線補間は行われない。
【００６６】
［６．まとめ］
すなわち、本実施形態に係るストローク情報管理システム１では、読取装置２のセンサ基板７Ｌ，７Ｒ等を介して検出された電子ペン３の検出座標Ｐｎと読取装置２のフラッシュＲＯＭ２２に記憶された電子ペン３の検出座標Ｐｎとに関して、下記の（１）乃至（６）の情報管理が読取装置２において行われる。
【００６７】
（１）読取装置２のセンサ基板７Ｌ，７Ｒ等を介して検出された電子ペン３の検出座標Ｐｎが検出順に読取装置２のフラッシュＲＯＭ２２に対して保存される（Ｓ１２、Ｓ１６、Ｓ２１、Ｓ２６、Ｓ２７）。
（２）読取装置２のセンサ基板７Ｌ，７Ｒ等を介して電子ペン３の検出座標Ｐｎを検出できなかった場合（Ｓ１５：ＮＯ）には、読取装置２のフラッシュＲＯＭ２２に保存された電子ペン３の検出座標Ｐｎのうち最新の検出座標が、ストロークフォントの終端点として読取装置２のフラッシュＲＯＭ２２に対して再保存される（Ｓ２７）。
（３）読取装置２のフラッシュＲＯＭ２２に保存された電子ペン３の検出座標Ｐｎのうち最新の検出座標について、センサ基板７Ｌのセンサ縁辺部７ＬＬ内又はセンサ基板７Ｒのセンサ縁辺部７ＲＲ内にあるか否かが判断される（Ｓ１７）。
（４）読取装置２のフラッシュＲＯＭ２２に保存された電子ペン３の検出座標Ｐｎのうち最新の検出座標について、センサ基板７Ｌのセンサ縁辺部７ＬＬ内又はセンサ基板７Ｒのセンサ縁辺部７ＲＲ内にあると上記（３）で判断された後には（Ｓ１７：ＹＥＳ）、読取装置２のセンサ基板７Ｌ，７Ｒ等を介して検出された電子ペン３の検出座標Ｐｎについて、センサ基板７Ｌのセンサ縁辺部７ＬＬ内又はセンサ基板７Ｒのセンサ縁辺部７ＲＲ内にあるか否かが判断される（Ｓ２４）。
（５）読取装置２のセンサ基板７Ｌ，７Ｒ等を介して検出された電子ペン３の検出座標Ｐｎについて、センサ基板７Ｌのセンサ縁辺部７ＬＬ内又はセンサ基板７Ｒのセンサ縁辺部７ＲＲ内にあると上記（４）で判断されたときは（Ｓ２４：ＹＥＳ）、読取装置２のセンサ基板７Ｌ，７Ｒ等を介して検出された電子ペン３の検出座標Ｐｎが検出順に読取装置２のフラッシュＲＯＭ２２に対して保存される（Ｓ２６）
（６）読取装置２のセンサ基板７Ｌ，７Ｒ等を介して検出された電子ペン３の検出座標Ｐｎについて、センサ基板７Ｌのセンサ縁辺部７ＬＬ内又はセンサ基板７Ｒのセンサ縁辺部７ＲＲ内にないと上記（４）で判断されたときは（Ｓ２４：ＮＯ）、読取装置２のセンサ基板７Ｌ，７Ｒ等を介して検出された電子ペン３の検出座標Ｐｎが、ストロークフォントの終端点として読取装置２のフラッシュＲＯＭ２２に対して保存される。
【００６８】
さらに、読取装置２のフラッシュＲＯＭ２２に記憶された電子ペン３の検出座標Ｐｎに関して、下記の（７）の情報管理がＰＣ４によって行われる。
（７）読取装置２のフラッシュＲＯＭ２２に記憶された電子ペン３の検出座標ＰｎがＰＣ４のＲＡＭ４３に書き込まれる。その後、ＰＣ４のＲＡＭ４３に書き込まれた電子ペン３の検出座標Ｐｎについて、ストロークフォントの終端点毎に区切りながら直線補間される。
【００６９】
以上より、本実施形態に係るストローク情報管理システム１では、上記の（１）乃至（７）の情報管理が行われることにより、所定間隔Ｓを置いて並設させた２つのセンサ基板７Ｌ，７Ｒの構造から生じるストロークフォントの欠損部分を補完することが可能となる。
【００７０】
［７．その他］
尚、本発明は上記実施形態に限定されるものでなく、その趣旨を逸脱しない範囲で様々な変更が可能である。
例えば、ＰＣ４で実行される上記の（７）の情報管理（つまり、直線補間処理）については、読取装置２で実行されてもよい。
【００７１】
また、読取装置２で実行される上記の（１）乃至（６）の情報管理のうち、読取装置２のフラッシュＲＯＭ２２に記憶される電子ペン３の検出座標Ｐｎに関する処理については、ＰＣ４のＲＡＭ４３を使用して実行してもよい。
【００７２】
また、電子ペン３の検出座標Ｐｎを取得する方法は、電磁誘導方式に限るものではない。例えば、感圧（抵抗値）方式、超音波方式、静電容量方式、または赤外線方式であってもよい。
【００７３】
また、読取装置２のセンサ基板７Ｌ，７Ｒの上面に紙媒体１００が載置されない場合でも、本発明を適用することが可能である。そのような場合には、電子ペン３のインクに関する機能は不要である。
【００７４】
また、本実施形態に係るストローク情報管理システム１のホストは、ＰＣ４に限るものではなく、スマートフォン等であってもよい。
【００７５】
また、本実施形態に係るストローク情報管理システム１では、読取装置２とＰＣ４とが個別の装置として装備されていた。この点、読取装置２と（ＰＣ４の）ディスプレイ４８とを一体にさせた装置に本発明を適用させることも可能である。
【００７６】
また、上記の（１）乃至（７）の情報管理に関するプログラムを外部記憶媒体に記憶させてもよい。このような場合には、ＰＣ４や読取装置２は、上記の（１）乃至（７）の情報管理に関するプログラムを外部記憶媒体から取得することにより、本発明を実施させることが可能である。
【符号の説明】
【００７７】
１      ストローク情報管理システム
２      読取装置
３      ペン型の入力装置
７Ｌ    センサ基板
７ＬＬ  センサ基板の縁辺部
７Ｒ    センサ基板
７ＲＲ  センサ基板の縁辺部
２１      ＣＰＵ
２２      フラッシュＲＯＭ
２８      センサ制御基板
２８Ａ    ＡＳＩＣ
２９      センサ制御基板
２９Ａ    ＡＳＩＣ
４１      ＣＰＵ
４２      ＨＤＤ
４３      ＲＡＭ
１００      紙媒体
【図１】
2014241063.tif 000003
【図２】
2014241063.tif 000004
【図３】
2014241063.tif 000005
【図４】
2014241063.tif 000006
【図５】
2014241063.tif 000007
【図６】
2014241063.tif 000008
【図７】
2014241063.tif 000009
【図８】
2014241063.tif 000010
【図９】
2014241063.tif 000011